【手続補正書】
【提出日】平成20年2月8日(2008.2.8)
【手続補正１】
【補正対象書類名】明細書
【補正対象項目名】００１５
【補正方法】変更
【補正の内容】
【００１５】
本実施例について、図１乃至図５に基づいて説明する。なお、本実施例においては、図１の姿勢を基準として、長手方向を上下と規定する。また、図１において、左側が前、右側が後と規定する。電動機１と該電動機１の回転軸に取り付けられたファン２からなる電動送風機３を下部内側に設けた掃除機本体４の内部上部には集塵室５が設けられており、この集塵室５に前記電動送風機３の一次側が接続されていると共に、前記電動送風機３の二次側が前記掃除機本体４に設けた排気部６に接続されている。さらに、前記掃除機本体４の背面側下部には、吸引管７を設けた突出部８が一体的に設けられていると共に、前記吸引管７の下端には、下面に横長の吸込口９が設けられた吸込部たる床掃除用ノズル１０が着脱自在に接続されている。前記吸込口９は、前記床掃除用ノズル１０の前端側下面に設けられ、前記吸込口９には回転ブラシ１１が回動自在に設けられると共に、この回転ブラシ１１を回転駆動するための電動機からなる回転駆動源１２が前記回転ブラシ１１に対して直接或いは間接的に接続されて前記床掃除用ノズル１０内に設けられている。なお、横長の前記吸込口９は、前記床掃除用ノズル１０の進行方向（前後方向）と直交する方向、すなわち幅方向に長く形成されると共に、前記回転ブラシ１１は、前記吸込口９の長さ方向と略平行に設けられている。さらに、前記掃除機本体４の上方には、両端が前記掃除機本体４に接続された略半環状のハンドル１３が突設している。なお、このハンドル１３の一端は、前記掃除機本体４の上端の前側に接続されていると共に、前記ハンドル１３の他端は、前記掃除機本体４の略中央に接続されている。
【手続補正２】
【補正対象書類名】明細書
【補正対象項目名】００１６
【補正方法】変更
【補正の内容】
【００１６】
また、前記床掃除用ノズル１０の後端側に設けた受部１４には接続部１５が回動自在に枢支されている。前記受部１４は、軸心が幅方向となるように形成された円筒面状の円弧状部１４Ａを有しており、この円弧状部１４Ａの前部に前記吸込口９と接続する連通路１６が設けられている。一方、前記受部１４によって枢支される接続部１５は、前記円弧状部１４Ａに対して同軸的に保持されてこの円弧状部１４Ａの内側に回動自在に嵌合する円筒パイプ状の枢支部１５Ａと、前記突出部８に挿入されて前記吸引管７に接続される接続管１５Ｂとで略逆Ｔ字状に形成されている。また、前記接続管１５Ｂの後方には、前記突出部８と係合して前記接続部１５，ひいては前記床掃除用ノズル１０を前記掃除機本体４に固定するための係合部１５Ｃが設けられている。なお、前記枢支部１５Ａの左右方向略中央には、前記連通路１６と連通する連通用孔１７が形成されている。そして、前記吸込口９を吸引の一次側とした第一吸引路１８は、前記連通路１６、連通用孔１７、接続部１５（枢支部１５Ａ及び接続管１５Ｂ），吸引管７、集塵室５、電動送風機３を介して前記排気部６を二次側とする。そして、前記床掃除用ノズル１０に対して前記掃除機本体４を後方に傾斜させると、すなわち前記床掃除用ノズル１０に対して前記接続部１５を傾斜させると、前記円弧状部１４Ａと枢支部１５Ａとの摺動により、前記連通用孔１７が前記連通路１６と接続し、前記第一吸引路１８が連通状態となる。一方、前記床掃除用ノズル１０に対して前記掃除機本体４を直立させると、すなわち前記床掃除用ノズル１０に対して前記接続部１５を直立させると、前記連通用孔１７は前記連通路１６と接続せずに前記連通用孔１７が前記円弧状部１４Ａの内周面に臨んで封止状態となり、前記第一吸引路１８が非連通状態となる。そして、前記連通路１６と連通用孔１７によって、前記床掃除用ノズル１０に対して前記掃除機本体４が直立（角度τ≒９０度）すると閉成し、前記掃除機本体４が後方に傾斜しているときは開成するように前記第一吸引路１８を選択的に接続、非接続とする開閉部１９が形成される。
【手続補正３】
【補正対象書類名】明細書
【補正対象項目名】００１８
【補正方法】変更
【補正の内容】
【００１８】
前記第二ノズル２０の周面には膨出部２０Ａが形成されており、この膨出部２０Ａに絨毯や衣類等の被清掃面Ａと対向する対向面２４が形成されていると共に、この対向面２４に吸込口２５が形成されており、この吸込口２５によって前記第二ノズル２０の内外が連通している。なお、前記対向面２４は、前記柄部２１の軸方向に対して傾斜して設けられていると共に、前記吸込口２５は、前記対向面２４の略中央で、前記第二ノズル２０及び対向面２４の長手方向に沿って細長く形成されている。また、前記対向面２４は、図４に示すように、前記吸込口２５から離れる程後退するように、即ち、前記対向面２４を下向きにして前記吸込口２５を前記被清掃面Ａに正対させた場合に、前記対向面２４における前記吸込口２５に近い部位２４Ａよりも前記吸込口２５から遠い部位２４Ｂが高くなるように、前記吸込口２５が最も低くなる凸形状に形成されている。なお、図４では、傾斜角度θを強調して記載している。そして、前記対向面２４には、前記吸込口２５を挟んで一対のブラシ部２６，２７が設けられている。なお、これらのブラシ部２６，２７は、上述した構造の前記対向面２４に設けられていることで、前記吸込口２５から離れる程後退するように、即ち、前記対向面２４を下向きにして前記吸込口２５を前記被清掃面Ａに正対させた場合に、前記ブラシ部２６，２７における前記吸込口２５側よりも反吸込口２５側が高くなる。また、これらのブラシ部２６，２７は、カットパイルの多数の立毛２６Ａ，２７Ａを一方向に傾斜させたものであり、洋服用のブラシなどではよく知られたものである。また、これらのブラシ部２６，２７は、前記吸込口２５の長手方向に沿って、前記吸込口２５の両側近傍にそれぞれ設けられている。更に、前記ブラシ部２６，２７は、前記長手方向と直交する方向、すなわち前記第二ノズル２０の幅方向にもある程度の幅をもって設けられている。なお、前記ブラシ部２６，２７の長手方向の長さＸは、幅方向長さＹよりも長く形成されている。また、前記ブラシ部２６，２７の立毛２６Ａ，２７Ａは、前記吸込口２５側に向けてぞれぞれ傾斜するように前記対向面２４に取り付けられている。
【手続補正４】
【補正対象書類名】明細書
【補正対象項目名】００２０
【補正方法】変更
【補正の内容】
【００２０】
さらに、前記掃除機本体４の前面には、前記第二ノズル２０を嵌合保持するノズル嵌合受け部２８を設ける。このノズル嵌合受け部２８は前記対向面２４側が前記掃除機本体４側に向くようにして前記第二ノズル２０全体のほぼ半分が挿入して嵌合できるように凹状に形成されており、前記ノズル嵌合受け部２８に嵌合した前記第二ノズル２０の吸込口２５の対応箇所には、この吸込口２５を封止可能な封止部材２８Ａが設けられている。この封止部材２８Ａは、シリコンゴム、合成ゴム、天然ゴム或いはエラストマ―などのゴム状の弾性材や他の前記吸込口２５に密着可能な材料によって、細長い前記吸込口２５と同一形状あるいはやや大きく形成されている。
【手続補正５】
【補正対象書類名】明細書
【補正対象項目名】００２１
【補正方法】変更
【補正の内容】
【００２１】
さらに、前記ノズル嵌合受け部２８には、前記第二ノズル２０の着脱状態を検知するノズル検知部２９が設けられている。このノズル検知部２９は、前記ノズル嵌合受け部２８の上部に間隔をおいて設けられた左右一対の接点３０と、前記第二ノズル２０の当て面側の外周面に設けられ両端が一対の前記接点３０と接触可能な金属片等の導電体３１から成っている。左右一対の前記接点３０は、制御回路部３２に接続されていると共に、この制御回路部３２に前記回転駆動源１２が接続されており、前記ノズル検知部２９が前記ノズル嵌合受け部２８に嵌合し、左右一対の前記接点３０が前記導電体３１によって電気的に接続されると、前記ノズル検知部２９により前記第二ノズル２０が検知されるので、前記掃除機本体４の表面に設けたスイッチ３３を閉成することで、前記電動機１及び回転駆動源１２が共に回転駆動して、前記電動送風機３が作動すると共に、前記回転ブラシ１１を回転させることができる。一方、前記ノズル検知部２９が前記ノズル嵌合受け部２８に嵌合していない場合では、左右一対の前記接点３０が前記導電体３１によって電気的に接続されず、前記ノズル検知部２９により前記第二ノズル２０が検知されないので、前記スイッチ３３を閉成しても前記電動機１のみが回転駆動し、前記回転駆動源１２が回転駆動せず、この結果、前記電動送風機３のみが作動し、前記回転ブラシ１１を回転させることができないようになっている。
【手続補正６】
【補正対象書類名】明細書
【補正対象項目名】００２３
【補正方法】変更
【補正の内容】
【００２３】
絨毯や衣類等に付着した塵埃、特に繊維屑や毛髪等を取り除くときは、前記第二ノズル２０を用いる。この場合、使用者は前記床掃除用ノズル１０に対して前記掃除機本体４を直立させて自立状態とし、前記開閉部１９を非接続状態として前記第一吸引路１８を遮断すると共に、前記第二ノズル２０を前記ノズル嵌合受け部２８から取り外し、さらに前記可撓性ホース２２を前記ハンドル１３より取り外す。そして、前記第二ノズル２０を前記ノズル嵌合受け部２８から取り外すことで、前記吸込口２５が前記封止部材２８Ａから離れて、前記第二吸引路２３の封止状態が解除される。この状態で、前記スイッチ３３を閉成することによって、前記電動送風機３が作動することで、塵埃を含んだ気流が前記吸込口２５から吸引され、前記集塵室５に取り付けられた前記フィルタ５Ａによって塵埃が捕捉され、塵埃が除かれた空気が前記排気部６より排気される。この際、前述したように、前記開閉部１９が非接続状態となっていることで、前記第一吸引路１８が遮断されているので、前記第一吸引路１８による吸引は行われないと共に、前記ノズル検知部２９が開成していることで、前記回転駆動源１２が前記スイッチ３３に応動して作動不能な状態となっているので、前記電動送風機３を作動させても、前記回転駆動源１２が作動せず、従って前記回転ブラシ１１が回転しない。そして、このように前記吸込口２５によって吸引しながら前記ブラシ部２６，２７を被清掃面Ａに接触させて動かすことで、被清掃面Ａに付着した塵埃を掻き取って前記集塵室５に吸引することができる。
【手続補正７】
【補正対象書類名】明細書
【補正対象項目名】００２８
【補正方法】変更
【補正の内容】
【００２８】
しかも、前記掃除機本体４と床掃除用ノズル１０が、前記第一吸引路１８を構成する回動自在な接続部１５を介して接続され、この接続部１５に前記掃除機本体４と床掃除用ノズル１０との相対角度τに応じて前記第一吸引路１８を選択的に接続、非接続とする開閉部１９を設け、前記床掃除用ノズル１０の吸込口２５に回転ブラシ１１を設けると共にこの回転ブラシ１１に回転駆動源１２を接続し、前記嵌合受け部２８に前記第二ノズル２０の脱着に応動して前記回転駆動源を作動可能又は作動不可能とするノズル検知部２９を設けたことにより、前記第二ノズル２０を使用しないで、前記嵌合受け部２８にセットしている場合のみ、前記回転駆動源１２が駆動可能となるので、前記第二ノズル２０を使用しているときには前記回転駆動源１２が駆動するような誤動作がなく、また、前記床掃除用ノズル１０を使用せずに、前記第二ノズル２０を前記嵌合受け部２８から取り外して使用する際には、前記掃除機本体４を前記床掃除用ノズル１０に対して直立させることで前記開閉部１９が閉じ、前記電動送風機３が作動しても前記床掃除用ノズル１０の吸込口９より吸引されることを阻止することができる。